(57)【要約】      （修正有）【課題】ＬＥＤからの光やプレートの内面に付した文字等のインフォメーションが効率的に需要者に訴求する、装飾体及び装飾ユニットを提供する。【解決手段】装飾体は、インフォメーションが付された表示部１１と、表示部１１の前方又は後方に突出して設けられ、内周面を有するベース部１２と、ベース部１２の内周面に取り付けられたＬＥＤライト１３と、ＬＥＤライト１３よりも表示部１１の中心寄りに内周縁を有し、ベース部１２又は表示部１１よりも前面側に取り付けられた枠部１４と、を備える。【選択図】図２
0003206462.tif 000002
【実用新案登録請求の範囲】
【請求項１】
インフォメーションが付された表示部と、
前記表示部の前方又は後方に突出して設けられ、内周面を有するベース部と、
前記ベース部の内周面に取り付けられたＬＥＤライトと、
前記ＬＥＤライトよりも前記表示部の中心寄りに内周縁を有し、前記ベース部又は前記表示部よりも前面側に取り付けられた枠部と、
を備えた、装飾体。
【請求項２】
前記ベース部は、前記表示部のインフォメーションを視認することができるように内周面により開口を画しており、かつ前記表示部の前方に設けられて表示部と一体化されている、請求項１に記載の装飾体。
【請求項３】
前記表示部が、インフォメーションが付されたプレートと、前記プレートを交換可能に支持する支持ガイド部と、を備え、
前記ベース部が、前記プレートに付されたインフォメーションを前方から視認するための開口を画しており、前記支持ガイド部の前方に突出して設けられ、
前記枠部が、前記ベース部の前面に取り付けられ、
前記プレートに付したインフォメーション及び前記ＬＥＤライトからの光が、前記開口及び前記内周縁で形成された窓から視認される、請求項１に記載の装飾体。
【請求項４】
前記表示部が、インフォメーションが付されかつ透光性を有するプレートで構成され、
前記ベース部と前記枠部との間にスペーサを介在させて支持ガイド部が構成され、前記支持ガイド部が前記プレートを交換可能に支持し、
前記プレートに付されたインフォメーション及び前記ＬＥＤライトからの光が、前記内周縁で形成された窓から視認される、請求項１に記載の装飾体。
【請求項５】
請求項１乃至４に記載の装飾体と、前記装飾体を支持する支持台とを備え、
前記支持台に対向する前記装飾体の底部には、前記ＬＥＤライトからの配線の各端部を固定するための一又は複数の導電性の中空のマグネットが固定具により取り付けられ、
前記支持台には、前記装飾体の底部に取り付けられた一又は複数の導電性の中空のマグネットの位置に対応するように、一又は複数の導電性のマグネットが固定具により取り付けられ、
前記装飾体に取り付けられたマグネットが、前記支持台に取り付けられたマグネットに吸着することにより、前記装飾体が前記支持台に支持される、装飾ユニット。
【考案の詳細な説明】
【技術分野】
【０００１】
本考案は、広告や看板などの各種媒体として好適な人の目を引く装飾体とそれを備えた装飾ユニットに関する。
【背景技術】
【０００２】
事業を営む企業や個人事業主は、店舗名、商品名又はサービス名を付した看板を店舗前になどに設置し、顧客を店舗内に誘導している。
【０００３】
本考案者は、文字、図形、記号などの少なくとも何れかが付された複数のプレートと、プレートの輪郭に沿った形状を有する発泡樹脂製のフレームと、を有し、そのフレームの前後にプレートを取り付けて装飾体を構成する表示体又は装飾体を開発してきた。そのフレームの内周面にはＬＥＤモジュールを取り付け、装飾体内にトランス等の給電部品を内蔵して一体感を持たせていた（例えば特許文献１）。
【先行技術文献】
【特許文献】
【０００４】
【特許文献１】実用新案登録第３１９８７０７号公報
【考案の開示】
【考案が解決しようとする課題】
【０００５】
しかしながら、このような装飾体では、フレームの前後にプレートが取り付けられているため、文字、図形、記号をプレートの内面に付しても、正面側から訴求させることができなかった。
【０００６】
そこで、本考案の目的は、ＬＥＤからの光やプレートの内面に付した文字等のインフォメーションにより効率的に需要者に訴求する、装飾体とそれを備えた装飾ユニットを提供することである。
【課題を解決するための手段】
【０００７】
本考案のコンセプトは次の通りである。
[１]  インフォメーションが付された表示部と、
前記表示部の前方又は後方に突出して設けられ、内周面を有するベース部と、
前記ベース部の内周面に取り付けられたＬＥＤライトと、
前記ＬＥＤライトよりも前記表示部の中心寄りに内周縁を有し、前記ベース部又は前記表示部よりも前面側に取り付けられた枠部と、
を備えた、装飾体。
[２]  前記ベース部は、前記表示部のインフォメーションを視認することができるように内周面により開口を画しており、かつ前記表示部の前方に設けられて表示部と一体化されている、請求項１に記載の装飾体。
[３]  前記表示部が、インフォメーションが付されたプレートと、前記プレートを交換可能に支持する支持ガイド部と、を備え、
前記ベース部が、前記プレートに付されたインフォメーションを前方から視認するための開口を画しており、前記支持ガイド部の前方に突出して設けられ、
前記枠部が、前記ベース部の前面に取り付けられ、
前記プレートに付したインフォメーション及び前記ＬＥＤライトからの光が、前記開口及び前記内周縁で形成された窓から視認される、前記[１]に記載の装飾体。
[４]  前記表示部が、インフォメーションが付されかつ透光性を有するプレートで構成され、
前記ベース部と前記枠部との間にスペーサを介在させて支持ガイド部が構成され、前記支持ガイド部が前記プレートを交換可能に支持し、
前記プレートに付されたインフォメーション及び前記ＬＥＤライトからの光が、前記内周縁で形成された窓から視認される、前記[１]に記載の装飾体。
[５]  前記[１]乃至[４]の何れかに記載の装飾体と、前記装飾体を支持する支持台とを備え、
前記支持台に対向する前記装飾体の底部には、前記ＬＥＤライトからの配線の各端部を固定するための一又は複数の導電性の中空のマグネットが固定具により取り付けられ、
前記支持台には、前記装飾体の底部に取り付けられた一又は複数の導電性の中空のマグネットの位置に対応するように、一又は複数の導電性のマグネットが固定具により取り付けられ、
前記装飾体に取り付けられたマグネットが、前記支持台に取り付けられたマグネットに吸着することにより、前記装飾体が前記支持台に支持される、装飾ユニット。
【考案の効果】
【０００８】
本考案によれば、装飾体が、インフォメーションが付された表示部と、表示部の前方又は後方に突出して設けられ、内周面を有するベース部と、ベース部の内周面に取り付けられたＬＥＤライトと、ＬＥＤライトよりも表示部の中心寄りに内周縁を有し、ベース部又は表示部よりも前面側に取り付けられた枠部と、を備える。そのため、表示部内のインフォメーションは、枠部の内周縁による窓を介在して視認されることができ、しかも、ＬＥＤライトでまわりからインフォメーションが照らされ、ＬＥＤライトによる光がその内周縁による窓を通じて前方に広がる。よって、ＬＥＤライトからの光やプレートの内面に付した文字等の魅力的なインフォメーションにより効率的に需要者に訴求することができる。
【図面の簡単な説明】
【０００９】
【図１】本考案の実施形態に係る装飾体及び装飾ユニットを模式的に示す斜視図である。
【図２】図１に示す装飾本体部及び支持部の分解斜視図である。
【図３】図１のＩＩＩ−ＩＩＩ線に沿う断面図である。
【図４】図１のＩＶ−ＩＶ線に沿う断面図である。
【図５】図１に示す支持台の分解図である。
【図６】図１とは異なる、本考案の実施形態に係る装飾体及び装飾ユニットを模式的に示す正面図である。
【図７】図６のＶＩＩ−ＶＩＩ線に沿う断面図である。
【図８】図７とは異なる実施形態に係り、図６のＶＩＩ−ＶＩＩ線に沿う断面図である。
【考案を実施するための形態】
【００１０】
以下、図面を参照しながら本考案を好ましい実施形態について詳細に説明するが、本考案の範囲において適宜変更してもよい。
【００１１】
先ず、本考案の基本的な形態について説明する。図１は本考案の実施形態に係る装飾体１０及び装飾ユニット１を模式的に示す斜視図であり、図２は図１に示す装飾本体部２１及びフレーム部２２の分解斜視図である。本考案の実施形態に係る装飾体１０は、インフォメーションが付された表示部１１と、表示部１１の前方に突出して設けられ、内周面を有するベース部１２と、ベース部１２の内周面に取り付けられたＬＥＤライト１３と、ＬＥＤライト１３よりも表示部１１の中心寄りに内周縁を有し、ベース部１２よりも前面側、即ち前面に取り付けられた枠部１４と、を備えて構成される。図１及び図２に示す装飾体１０では、ベース部１２は、内周縁により、表示部１１に付されたインフォメーションを前方から視認するための開口を画する。
【００１２】
表示部１１は、インフォメーションが付された領域１１ａを備える。インフォメーションは、文字、図形、記号の何れか又はその組み合わせで構成され、図示するように、店舗の名前、商品やサービスの種類名、属性などに関するものである。インフォメーションの付され方は、インクジェットプリントにより各種色のインクが内面に付着してもよいし、立体形状を有するインフォメーションのピースを貼り付けてもよい。
【００１３】
表示部１１は、例えばインフォメーションの全体の外形概略の全部又は一部に沿った形状を有しており、その形状により、内面に付されたインフォメーションと合わせて需要者に容易に視認され易い。表示部１１は、ハート形、矩形、円形等の外形を有していてもよい。
【００１４】
ベース部１２は、表示部１１を取り囲んで前方に突出しており、表示部１１の外形とベース部１２の外形とがあいまって一体感を与える側部である。
【００１５】
表示部１１とベース部１２とは別々の部材で構成されてもよいし、一つの部材で構成されてもよい。
【００１６】
ＬＥＤライト１３は、ベース部１２の内周面に取り付けられる発光モジュールであり、例えば、複数のＬＥＤ素子をテープ状の基材に設けて内部に配線をしたものが用いられる。ＬＥＤライト１３は、ベース部１２の上側部、下側部及び左右側部の全てに配置されてもよいし、各側部の何れか又は組み合わせの一部にだけ配置されてもよい。
【００１７】
さらに、図１及び図２に示す形態においては、表示部１１から延設した支持部１５と、ベース部１２から延設し支持部１５を取り囲んで前方に突出した別のベース部１６と、枠部１４から延設し別のベース部１６の前面に取り付けられた蓋部１７と、をさらに備える。
【００１８】
装飾本体部２１として、図２に示すように、表示部１１、支持部１５、ベース部１２及び別のベース部１６が一体的に構成される。表示部１１と支持部１５とは平板状を有しており、ベース部１２及び別のベース部１６とが装飾本体部２１の外周縁に沿って設けられ、ベース部１２の一部は表示部１１の領域と支持部１５の領域とを分ける区分け部１８として機能する。
【００１９】
フレーム部２２として、図２に示すように、枠部１４と蓋部１７とが一体的に構成される。ここで、装飾本体部２１とフレーム部２２とは各外周縁が同様な形状をしており、装飾本体部２１の前面にフレーム部２２が接着剤により取り付けられたり、装飾本体部２１の前面とフレーム部２２の裏面とにそれぞれ設けた係合部同士の嵌め合わせ等により取り付けられたりする。
【００２０】
本考案の実施形態に係る装飾体１０は、インフォメーションが付された表示部１１と、表示部１１の前方に突出しており表示部１１に付されたインフォメーションを前方から視認するための開口を画するベース部１２と、ベース部１２の内周面に取り付けられたＬＥＤライト１３と、ＬＥＤライト１３よりも表示部１１の中心寄りに内周縁を有しベース部１２の前面に取り付けられた枠部１４と、を備える。そのため、表示部１１に付されたインフォメーションを、ベース部１２の開口及び内周縁による窓を介在して視認することができ、しかも、ＬＥＤライト１３でまわりから照らされ、ＬＥＤライト１３による光が内周縁による窓を通じて前方に広がる。よって、ＬＥＤライト１３からの光とプレートの内面に付した文字、図形、記号の何れか又はその組み合わせで構成されるインフォメーションとが効率的に需要者に訴求される。
【００２１】
図３は、ＩＩＩ−ＩＩＩ線に沿う断面図である。図３に示すように、枠部１４の内周縁１４ａが、表示部１１のうちインフォメーションが付された領域１１ａに沿って設けけられ、ベース部１２の内周面に取り付けられたＬＥＤライト１３が枠部１４により前方から視認されない。そのため、ＬＥＤライト１３が発した光はインフォメーションが付された領域１１ａに対してサイドから照らすことになり、独特の陰影により不思議なイメージを醸し出すことができる。
【００２２】
さらに、図１及び図２に示す形態においては、支持部１５が、表示部１１から下方に延設され、別のベース部１６が、ベース部１２のうち下から下方に延びている。下側部で別のベース部１６の両端の間は区分け部１８であり、区分け部１８は表示部１１と支持部１５とを区分けする。図示するように支持部１５の左右幅は表示部１１の左右幅より短く、支持部１５は表示部１１の脚部となるものである。区分け部１８は、ベース部１２のうち下側部からＬＥＤライト１３の配線１９が通され、支持部１５と蓋部１７で囲まれた領域を通って、配線１９の端部が別のベース部１６の底部に達している。蓋部１７は、別のベース部１６の外縁形状に沿って枠部１４から下方に延設されており、配線１９が通された領域が前方から視認されない。装飾本体部２１及びフレーム部２２はＭＤＦやアルミ複合板から作製される。
【００２３】
本考案の実施形態では、図１に示すように、装飾本体部２１を支持するための支持台３０をさらに備え、装飾ユニット１を構成する。好ましくは、図４を参照して説明するように、装飾本体部２１において別のベース部１６の底部１６ａには少なくとも二つの導電性の中空のマグネット２３が固定具２４により取り付けられており、支持台３０の一部を構成するアッパープレート３１にも、導電性の中空のマグネット２３の取付位置に対応して、マグネット３３が固定具３４により取り付けられている。
【００２４】
図４はＩＶ−ＩＶ線に沿う断面図である。装飾本体部２１において別のベース部１６の底部１６ａの外側にマグネット２３が固定具２４により固定されている。マグネット２３は、Ｓ極とＮ極とが上下方向に向いて配置され、例えばネオジウム磁石が挙げられるが、その他の磁石でもよい。図示の形態においては、マグネット２３は装飾体１０、即ち装飾本体部２１の底部１６ａにおいて、左右二か所に装着されている。固定具２４は、例えばボルト２５及びナット２６で構成され、ワッシャーなどが追加されてもよい。固定具２４は、金属メッキ等により導電性を付与されてもよい。
【００２５】
支持台３０には、装飾本体部２１側、即ちアッパープレート３１の上面の外側に、マグネット３３が固定具３４で固定されている。マグネット３３は、Ｎ極とＳ極とが上下方向に向いて配置され、例えばネオジウム磁石が挙げられるが、その他の磁石でもよい。固定具３４は、例えばボルト３５及びナット３６から構成され、ワッシャーなどが追加されてもよい。固定具３４は、金属メッキ等により導電性を付与されてもよい。
【００２６】
装飾体１０、即ち装飾本体部２１へのマグネット２３の固定位置は、アッパープレート３１へのマグネット３３の固定位置に対応している。その対応するマグネット２３，３３は、向かい合う面が異極となるように配置される。よって、支持台３０に装飾本体部２１を載せようとすると、アッパープレート３１のマグネット３３が装飾本体部２１のマグネット２３を吸引し、装飾本体部２１が支持台３０に容易に取り付けられる。逆に、マグネット２３とマグネット３３との吸引力に抗して装飾本体部２１を持ち上げたりすることにより、支持台３０から装飾本体部２１を比較的簡易に取り外しすることができる。
【００２７】
装飾本体部２１においてマグネット２３を固定する部位に貫通穴が中空として設けられ、マグネット２３の貫通穴にボルト２５の軸部２５ａを挿入した上で、ボルト２５の軸部２５ａを貫通穴に通し、ボルト２５の軸部２５ａとナット２６とを締結する。その際、ボルト２５の軸部２５ａに、配線１９の末端に取り付けた端子２７を装着することで、ナット２６と装飾本体部２１の底部１６ａとで端子２７が固定される。端子２７は、装飾本体部２１に取り付けたＬＥＤライト１３への配線１９の末端にジョイントされている。ＬＥＤライト１３以外に各種サウンドを出力するスピーカーなどを接続してもよい。
【００２８】
アッパープレート３１においてマグネット３３を固定する部位に貫通穴が中空として設けられ、マグネット３３の貫通穴にボルト３５の軸部３５ａを挿入した上で、ボルト３５の軸部３５ａを貫通穴に通し、ボルト３５の軸部３５ａとナット３６とを締結する。その際、ボルト３５の軸部３５ａに、配線３８の末端に取り付けた端子３７を装着することで、ナット３６とアッパープレート３１とで端子３７が固定される。端子３７は、図５を参照して説明するように、支持台３０に内蔵した給電コントローラー４０からの配線３８の末端にジョイントされている。
【００２９】
このように、支持台３０においてマグネット３３が固定された位置の任意の二つの位置に、給電コントローラー４０からの配線３８の末端の一方の端子３７と他方の端子３７とが固定具３４により固定される。ここで固定具３４は、ボルト３５とナット３６から構成され、ワッシャーなどを追加してもよい。装飾本体部２１においてマグネット２３が固定された任意の二つの位置に、ＬＥＤライト１３への配線１９への末端の一方の端子２７と他方の端子２７とが固定具２４により固定されている。ここでの固定具２４は、ボルト２５とナット２６から構成され、ワッシャーなどを追加してもよい。装飾本体部２１での端子２７の固定位置が、支持台３０での端子３７の固定位置に対応している。
【００３０】
この好ましい形態では、配線１９，３８（図５では３８ａ）の末端に取り付けられた端子２７，３７がマグネット２３，３３の固定位置に固定具２４，３４で取り付けられている。よって、支持台３０に装飾本体部２１を載せようとすると、支持台３０に固定されたマグネット３３が、装飾本体部２１に固定されたマグネット２３を吸引する。そして、給電コントローラー４０からの配線３８の末端の一方の端子３７とＬＥＤライト１３への配線１９の末端の一方の端子２７とが電気的に接続され、給電コントローラー４０からの配線３８の末端の他方の端子３７とＬＥＤライト１３への配線１９の末端の他方の端子２７とが電気的に接続される。その結果、装飾本体部２１の支持台３０への取り付けと、電気的な接続とを同時に達成することができる。
【００３１】
支持台３０について詳細に説明する。図５は支持台の分解図である。支持台３０は、アッパープレート３１とロアープレート３２とが組み合わされて構成されている。図１及び図５に示すように、アッパープレート３１には係合部３１ａが設けられ、ロアープレート３２にはサイド部３２ａが立設され、サイド部３２ａの一部で構成された先端部３２ｂが係合部３１ａに嵌め合わされて、アッパープレート３１とロアープレート３２とが組み合わされる。アッパープレート３１がサイド部及び先端部に設けられ、ロアープレート３２に係合部が設けられてもよい。ロアープレート３２には、調整用の穴３２ｃ，３２ｄが設けられている。支持台３０は、アッパープレート３１とロアープレート３２とが対向して一定距離離れて構成されていればよい。
【００３２】
アッパープレート３１の裏面には、基板４１がテープにより固定されている。その基板４１には給電コントローラー４０が構成されるよう電子部品が搭載されている。外部接続用のプラグ４３に取り付けられた配線３８ｂの一方が配線３８ｄの一部を経由して基板４１に接続されている。プラグ４３に取り付けられた配線３８ｂの他方は途中で分岐され、分岐された一方は配線３８ｄを経由して基板４１に接続されている。分岐された他方はスリムコントローラー４２に接続され、配線３８ａの一方を経由して端子３７に接続されている。配線３８ａの他方はスリムコントローラー４２を介在して配線３８ｄを経由して基板４１に接続されている。また、基板４１には、サイド部３２ａに取り付けられた人感センサ３９からの配線３８ｃが接続されている。図５に示すように、結束具４４により配線３８ａ同士、配線３８ｄを束ねるとよい。
【００３３】
よって、スリムコントローラー４２をＯＮにすることにより、プラグ４３から配線３８ａ，３８ｂ，３８ｃ，３８ｄを経由して端子３７の対、電子部品を搭載した基板４１、人感センサ３９のそれぞれに給電可能にし、人感センサ３９によるＯＮ／ＯＦＦにより実際にＬＥＤライト１３に給電する。
【００３４】
従って、本考案に係る装飾体１０が店舗前などの路上に設置され、通行人が装飾体１０に近づくことで人感センサ３９が通行人を感知し、プラグ４３から電子部品を搭載した基板４１を経由して端子３７，３７に給電され、ＬＥＤライト１３を照らすことができる。
【００３５】
図６は図１とは異なる、本考案の実施形態に係る装飾体及び装飾ユニットを模式的に示す正面図であり、図７は、図６に示す装飾体のＶＩＩ−ＶＩＩ線に沿う断面図である。図７において下向きが前方を示す。本考案の実施形態に係る装飾ユニット２は、装飾体５０と支持台３０とで構成される。装飾体５０は、図１に示す装飾体１０と同様、インフォメーションが付された表示部５１と、表示部５１の前方に突出して設けられ、内周面を有するベース部５２と、ベース部５２の内周面に取り付けられたＬＥＤライト５３と、ＬＥＤライト５３よりも表示部５１の中心寄りに内周縁５４ａを有し、ベース部５２よりも前面側に取り付けられた枠部５４と、を備える。即ち、装飾体５０は、インフォメーションが付された表示部５１と、表示部５１の前方に突出しており、表示部５１に付されたインフォメーションを前方から視認するための開口を内周面により画するベース部５２と、ベース部５２の内周面に取り付けられたＬＥＤライト５３と、ＬＥＤライト５３よりも表示部５１の中心寄りに内周縁５４ａを有し、ベース部５２の前面に取り付けられた枠部５４と、を備える。
【００３６】
表示部５１は、インフォメーションが付されたプレート５１ａと、プレート５１ａを交換可能に支持する支持ガイド部５１ｂと、を備え、ベース部５２が、プレート５１ａに付されたインフォメーションを前方から視識するための開口を画しており、支持ガイド部５１ｂの前方に突出して設けられ、枠部５４が、ベース部５２の前面に取り付けられている。
【００３７】
さらに具体的に説明すると、表示部５１を構成するベース部５２は、下方に支持部を設け、ベース部５２から下方に延設し支持部を囲んで前方に突出した別のベース部を設け、枠部５４から下方に延設し別のベース部の前面に蓋部５７を取り付けて構成される。また、装飾体１０と同様、装飾体５０即ち装飾本体部の底部にはマグネット６３が設けられており、装飾体５０を支持台３０にマグネット３３で吸着して支持させることができる。
【００３８】
本考案の実施形態に係る装飾体５０では、特に、表示部５１が、インフォメーションが付されたプレート５１ａと、プレート５１ａを交換可能に支持する支持ガイド部５１ｂとを備え、プレート５１ａを交換することができる。支持ガイド部５１ｂは、例えば、図７に示すように、ベース部５２に枠部５４とは逆側に取り付けられた第１支持ガイド部５１ｃと、第１支持ガイド部５１ｃの裏面に取り付けられた断面Ｌ字状の第２支持ガイド部５１ｄと、からなり、プレート５１ａを部分的に収容するポケットを構成する。このような装飾体５０では、プレート５１ａ以外の部品の共通性を図ることで製造コストを低減し、また、ニーズに応じてプレート５１ａが交換可能であるので、装飾体５０を設置する企業、個人事業主に応じてインフォメーションを変えることができる。
【００３９】
本考案の実施形態に係る装飾体５０によると、プレート５１ａに付したインフォメーション及びＬＥＤライト５３からの光が、枠部５４の内周縁５４ａで形成された窓から視認される。よって、ＬＥＤライト５３からの光とプレートの内面に付した文字、図形、記号の何れか又はその組み合わせで構成されるインフォメーションとで効率的に需要者に訴求することができる。
【００４０】
図８は、図７とは異なる実施形態の、図６に示す装飾体のＶＩＩ−ＶＩＩ線に沿う断面図である。図８において下向きが前方を示す。なお、図６及び図７と同一又は対応する部材については同一の符号を用いている。表示部５１は、インフォメーションが付されかつ光透性を有するプレート５１ａで構成され、ベース部５２と枠部５４との間にスペーサ７６を介在させて支持ガイド部７７が構成され、支持ガイド部７７がプレート５１ａを交換可能に支持する。よって、プレート５１ａに付したインフォメーション及びＬＥＤライト５３からの光が、枠部５４の内周縁５４ａで形成された窓から視認される。従って、ＬＥＤライト５３からの光とプレート５１ａに付された文字、図形、記号の何れか又はその組み合わせで構成されるインフォメーションとで効率的に需要者に訴求し得る。なお、バックプレート７８がベース部５２の裏面に取り付けられることで、ＬＥＤライト５３からの光を前方に向けることができる。なお、スペーサ７６とベース部５２との間に、図７に示すような第１支持ガイド部材５１ｃを介在させてもよい。
【００４１】
本考案に係る装飾体１０，５０は、設置する企業、個人事業主に応じて各種のインフォメーションを提供し、顧客を店舗内に誘導することができる。
【符号の説明】
【００４２】
１，２：装飾ユニット
１０：装飾体
１１：表示部
１１ａ：インフォメーションが付された領域
１２：ベース部
１３：ＬＥＤライト
１４：枠部
１４Ａ：内周縁
１５：支持部
１６：別のベース部
１６ａ：底部
１７：蓋部
１８：区分け部
１９：配線
２１：装飾本体部
２２：フレーム部
２３：マグネット
２４：固定具
２５：ボルト
２５ａ：軸部
２６：ナット
２７：端子
３０：支持台
３１：アッパープレート
３１ａ：係合部
３２：ロアープレート
３２ａ：サイド部
３２ｂ：先端部
３２ｃ，３２ｄ：調整用の穴
３３：マグネット
３４：固定具
３５：ボルト
３５ａ：軸部
３６：ナット
３７：端子
３８，３８ａ，３８ｂ，３８ｃ，３８ｄ：配線
３９：人感センサ
４０：給電コントローラー
４１：電子部品が搭載された基板
４２：スリムコントローラー
４３：プラグ
４４：結束具
５０：装飾体
５１：表示部
５１ａ：プレート
５１ｂ：支持ガイド部
５１ｃ：第１支持ガイド部
５１ｄ：第２支持ガイド部
５２：ベース部
５３：ＬＥＤライト
５４：枠部
５４ａ：内周縁
５７：蓋部
６３：マグネット
７６：スペース
７７：支持ガイド部
７８：バックプレート
【図１】
0003206462.tif 000003
【図２】
0003206462.tif 000004
【図３】
0003206462.tif 000005
【図４】
0003206462.tif 000006
【図５】
0003206462.tif 000007
【図６】
0003206462.tif 000008
【図７】
0003206462.tif 000009
【図８】
0003206462.tif 000010